(57)【要約】  空気調和機１００は、吸込口および吹出口３を有する本体１と、本体内に設けられた送風部と、本体内に設けられた熱交換部とを備え、第１羽根４ａ１および第２羽根４ａ２が可動に支持されており、第１羽根は、運転時、吹出口を開き、運転停止時、吹出口を閉じており、第２羽根は、運転停止時、本体内に収納されており、運転時には、吹出口から外に出る。
2015145726.tif 000002
【特許請求の範囲】
【請求項１】
吸込口および吹出口を有する本体と、
前記本体内に設けられた送風部と、
前記本体内に設けられた熱交換部とを備えた空気調和機であって、
第１羽根および第２羽根がそれぞれ可動に支持されており、
前記第１羽根は、運転時、前記吹出口を開き、運転停止時、前記吹出口を閉じており、
前記第２羽根は、運転停止時、前記本体内に収納されており、運転時には、前記吹出口の外方へ移動する、
空気調和機。
【請求項２】
正面吹き時には、前記第２羽根の全体が、前記吹出口から外に出る、
請求項１の空気調和機。
【請求項３】
正面吹き時、前記第１羽根と前記第２羽根とは直列に並び、
正面吹き時、側面視において、前記第２羽根の上流端が、前記第１羽根の上流端と前記第２羽根の下流端とを結ぶ仮想線よりも、本体から離れる側に位置する、
請求項１または２の空気調和機。
【請求項４】
正面吹き時、前記第１羽根と前記第２羽根との間には、隙間が確保される、
請求項３の空気調和機。
【請求項５】
前記第１羽根における本体側の面が、本体に向けて凸形状であり、前記第２羽根における本体と反対側の面が、本体と反対側に向けて凸形状である、
請求項３または４の空気調和機。
【請求項６】
縦吹き時、前記第１羽根と前記第２羽根とは並列に並び、
縦吹き時、前記第２羽根における前記第１羽根と対向する面が、前記第１羽根に向けて出っ張る凸形状であり、前記第１羽根における前記第２羽根と対向する面が、前記第２羽根に向けて出っ張る凸形状である、
請求項１〜５の何れか一項の空気調和機。
【発明の詳細な説明】
【技術分野】
【０００１】
本発明は、空気調和機に関するものである。
【背景技術】
【０００２】
特許文献１には、上羽根および下羽根という、回動する二つの風向変更羽根を有する空気調和機が開示されている。二つの風向変更羽根は互いにリンクアームで接続されており、二つの風向変更羽根はそれぞれが、回動可能に設けられている。二つの風向変更羽根は、冷房時は、直列に並び、暖房時は、並列に並ぶ。
【先行技術文献】
【特許文献】
【０００３】
【特許文献１】特許第５１２８６９７号公報
【発明の概要】
【発明が解決しようとする課題】
【０００４】
しかしながら、特許文献１に開示の空気調和機では、運転停止状態では、二つの風向変更羽根が直列に並んで、装置ボディの外面を構成する。このため、二つの風向変更羽根それぞれが、ボディ外面に要求される意匠的な条件に制約されることとなり、風向制御に適した形状の風向変更羽根が全く得られない問題が生じ得る。【０００５】
本発明は、上記に鑑みてなされたものであり、風向制御に適した形状の少なくとも一つの羽根が容易に得られる、空気調和機を提供することを目的とする。
【課題を解決するための手段】
【０００６】
上述した目的を達成するため、本発明の空気調和機は、吸込口および吹出口を有する本体と、前記本体内に設けられた送風部と、前記本体内に設けられた熱交換部とを備えた空気調和機であって、第１羽根および第２羽根がそれぞれ可動に支持されており、前記第１羽根は、運転時、前記吹出口を開き、運転停止時、前記吹出口を閉じており、前記第２羽根は、運転停止時、前記本体内に収納されており、運転時には、前記吹出口の外方へ移動する。
【発明の効果】
【０００７】
本発明によれば、風向制御に適した形状の少なくとも一つの羽根が容易に得られる。
【図面の簡単な説明】
【０００８】
【図１】本発明の実施の形態１を示す空気調和機の、部屋内から見たときの設置状態を示す図である。
【図２】図１の空気調和機の内部構造を側方から示す図である。
【図３】図１の空気調和機の内部構造を側方から示す図である。
【図４】図１の空気調和機の内部構造を側方から示す図である。
【図５】本発明の実施の形態２に関する、図１と同態様の図である。
【図６】本実施の形態２に関する、図２と同態様の図である。
【図７】本実施の形態２に関する、図３と同態様の図である。
【図８】本実施の形態２に関する、図４と同態様の図である。
【図９】本発明の実施の形態３に関する、図１と同態様の図である。
【図１０】本実施の形態３に関する、図１と同態様の図である。
【図１１】本発明の実施の形態３に関する、図２と同態様の図である。
【図１２】本発明の実施の形態３に関する、図３と同態様の図である。
【図１３】本発明の実施の形態３に関する、図４と同態様の図である。
【図１４】本発明の実施の形態４における空気調和機の、部屋内から見たときの設置状態を示す図である。
【図１５】図１４の空気調和機の内部構造を側方から示す図である。
【図１６】図１４の空気調和機の内部構造を側方から示す図である。
【図１７】図１４の空気調和機の内部構造を側方から示す図である。
【図１８】図１４の空気調和機の内部構造を側方から示す図である。
【発明を実施するための形態】
【０００９】
以下、本発明に係る空気調和機（室内機）の実施の形態について添付図面に基づいて説明する。なお、図中、同一符号は同一又は対応部分を示すものとする。また、室外機については、既存のものを用いることができる。
【００１０】
実施の形態１．
図１は、本発明の実施の形態１における空気調和機の部屋から見たときの設置概要図である。図２〜図４は、図１の空気調和機の内部構造を側方から示す図である。なお、図２は、空気調和機の運転停止時の状態を示し、図３は、水平吹き運転時（正面吹き時）の状態を示し、図４は、下吹き運転時（縦吹き時）の状態を示す。
【００１１】
図１に図示されるように、空気調和機（室内機）１００は、本体１によって、空気調和機１００の外郭が構成されている。空気調和機１００は、壁掛け型であり、空調対象空間である部屋１１の壁１１ａに設置されている。また、空気調和機１００は、一般家庭の部屋に設置されることに限定されるものではなく、たとえば施設のビルの一室や倉庫などに設置されていてもよい。
【００１２】
本体１は、箱状をなしており、部屋１１の壁１１ａに対面する背面１ｃと、背面１ｃの反対側である前面１ａと、上面１ｂと、下面１ｄと、左右一対の側面１ｅとを含んでいる。
【００１３】
本体１の上部を構成する上面１ｂには、室内空気を空気調和機１００内に吸い込むためのグリル型の吸込口２ｂが形成されている。また、前面１ａには、前面グリル６が取り付けられ、前面グリル６の本体高さ方向でいう中央部には、吸込口２ａが開口している。吸込口２ａは、前面グリル６を、横幅方向に延びている。吸込口２ａの下流側には、導風壁６ａが設けられている。吸込口２ａの下流側の流路の前面側は、前面グリル６の裏面で形成され、吸込口２ａの下流側の流路の背面側は、導風壁６ａで形成されている。導風壁６ａは、吸込口２ａの上方の前面グリル６から背面側に延び且つ下方に延びている。
【００１４】
本体１の下部を構成する下面１ｄには、調整された空気を室内に供給するための吹出口３が形成されている。厳密には、吹出口３は、下面１ｄの前部のエリアと、前面１ａの下部のエリアとにまたがって、形成されている。前面１ａの下部は、前面１ａの大部分である中央部および上部とほぼ同じ前向きの面であるが、前面１ａの中央部および上部よりも僅かに下向きに傾いている。
【００１５】
本体１の内部には、羽根車８ａを有する貫流ファン（送風部）８と、ガイドウォール１０とが配置されている。貫流ファン８は、吸込側風路Ｅ１及び吹出側風路Ｅ２の間に配置され、吸込口２ａ、２ｂから空気を吸い込み、吹出口３へと空気を吹き出す。ガイドウォール１０は、貫流ファン８の後方から下方にわたって延びており、貫流ファン８から放出された空気を吹出口３に導く。
【００１６】
さらに、本体１の内部には、吸込口２ａ、２ｂから吸い込まれる空気中の塵埃などを除去するフィルタ（通風抵抗体）５と、冷媒の温熱又は冷熱を空気に伝達して空調空気を生成する熱交換器（熱交換部、通風抵抗体）７と、吸込側風路Ｅ１及び吹出側風路Ｅ２を区画するスタビライザー９とが配置されている。
【００１７】
ガイドウォール１０は、スタビライザー９の下面側と協働して、吹出側風路Ｅ２を構成するものである。ガイドウォール１０は、貫流ファン８から吹出口３にかけて渦巻き面を形成している。
【００１８】
フィルタ５は、たとえば網目状に形成され、吸込口２ａ、２ｂから吸い込まれる空気中の塵埃などを除去するものである。フィルタ５は、吸込口２ａ、２ｂから吹出口３までの風路のうち、吸込口２ａ、２ｂの下流側であって熱交換器７の上流側に設けられている。また、フィルタ５は、熱交換器７の上方から前方にわたって延びている。
【００１９】
熱交換器７（室内熱交換器）は、冷房運転時において、蒸発器として機能して空気を冷却し、暖房運転時において、凝縮器（放熱器）として機能して空気を加温するものである。この熱交換器７は、吸込口２ａ、２ｂから吹出口３までの風路（本体１内部の中央部）のうち、フィルタ５の下流側であって貫流ファン８の上流側に設けられている。なお、図２では、熱交換器７の形状は、貫流ファン８の前部及び上部を取り囲むような形状をしているが、あくまでも一例であり、特に限定されるものではない。
【００２０】
熱交換器７は、圧縮機、室外熱交換器、及び絞り装置などを有する周知の態様でよい室外機に接続されて冷凍サイクルを構成しているものとする。また、熱交換器７には、例えば伝熱管と多数のフィンとにより構成されるクロスフィン式のフィン・アンド・チューブ型熱交換器が用いられている。
【００２１】
スタビライザー９は、吸込側風路Ｅ１と吹出側風路Ｅ２とを区画するもので、図２に図示されるように熱交換器７の下側に設けられている。吸込側風路Ｅ１は、スタビライザー９の上方に位置し、吹出側風路Ｅ２は、スタビライザー９の下方に位置している。
【００２２】
スタビライザー９は、吸込側流路Ｅ１と吹出側流路Ｅ２とを分離する舌部９ａと、熱交換器７から滴下される水滴を一時貯水するドレンパン９ｂと、吹出口３の吹出風路３ａの上壁面（前面側壁面）であるディフューザー３ａ１とを有する。
【００２３】
吹出風路３ａには、上下風向ベーン４ａと、左右風向ベーン４ｂとが設けられている。左右風向ベーン４ｂは、上下風向ベーン４ａと、貫流ファン８との間に回動可能に設けられている。上下風向ベーン４ａは、貫流ファン８から吹き出された空気の方向のうちの上下方向を調整するものであり、左右風向ベーン４ｂは、貫流ファン８から吹き出された空気の方向のうちの左右方向を調整するものである。
【００２４】
上下風向ベーン４ａは、第１羽根４ａ１と、第２羽根４ａ２と、第３羽根４ａ３とを含んでいる。これら第１羽根４ａ１、第２羽根４ａ２および第３羽根４ａ３は、それぞれ、個別の駆動源を有しており、個別に回動される。
【００２５】
第１羽根４ａ１は、運転停止時、吹出口３のうち下面１ｄの前部のエリアを閉じており、装置ボディの外面を構成している。つまり、第１羽根４ａ１は、風向制御部と本体外郭意匠部として兼用されている。第１羽根４ａ１の、運転停止時における上面（風路側面）は、凸形状に形成されている。また、第１羽根４ａ１は、回動可能に設けられており、第１羽根４ａ１の回動軸は、吹出風路３ａ内の下部のガイドウォール寄りに位置している。
【００２６】
第３羽根４ａ３は、運転停止時、吹出口３のうち前面１ａの下部のエリアを閉じており、装置ボディの外面を構成している。つまり、第３羽根４ａ３もまた、風向制御部と本体外郭意匠部として兼用されている。
【００２７】
第２羽根４ａ２は、運転停止時、吹出風路３ａ内に収納されており、第１羽根４ａ１と貫流ファン８との間、且つ、第３羽根４ａ３と貫流ファン８との間に配置されている。より詳細には、運転停止時、第２羽根４ａ２の全体が、本体１内に収納されている。一方、運転時には、第２羽根４ａ２は吹出口３から外方へ移動し、つまり、第２羽根４ａ２の一部または第２羽根４ａ２の全体が、吹出口３から外にせり出す。すなわち、第２羽根４ａ２は、風向制御部として機能し、本体外郭意匠部としては機能しない。
【００２８】
また、後に詳しく説明するが、端的には、第２羽根４ａ２は、水平吹き時（正面吹き時）は、図３に示されるように、第１羽根４ａ１と直接に並び、下吹き時（縦吹き時）は、図４に示されるように、第１羽根４ａ１と並列に並ぶ。また、第３羽根４ａ３は、水平吹き時も下吹き時も共に、第２羽根４ａ２とほぼ並行に並ぶ。
【００２９】
また、第２羽根４ａ２の回動軸は、吹出口３内の上部且つスタビライザー寄りに位置している。そして、第２羽根４ａ２は、水平吹き時、吹き出し流れの進行方向でいう第１羽根４ａ１の前に移動し、第１羽根４ａ１と直列に並ぶ。なお、この第１羽根４ａ１と第２羽根４ａ２との直列配置は、図３のような側面視において、第１羽根４ａ１の上流端Ａと第２羽根４ａ２の下流端Ｂとを結ぶ仮想線Ｖよりも、第２羽根４ａ２の上流端Ｃが、下方に位置するような状態（仮想線Ｖに対して本体１から離れる側に位置する状態）であることを要する。これにより、第１羽根４ａ１および第２羽根４ａ２は、水平吹き時は、第１羽根４ａ１および第２羽根４ａ２それぞれの弦長よりも長い仮想弦長を有した１枚の仮想羽根となり、下吹き時は、個々の弦長を有した２枚の個別の羽根として機能する。すなわち、羽根自体を交換することなく風向により羽根弦長が変化する態様が得られているといえる。
【００３０】
また、水平吹き時、直列に配置された第１羽根４ａ１と第２羽根４ａ２との間には、隙間２０が確保される。特に、本実施の形態１では、直列に並んだとき、第１羽根４ａ１の上面（本体側の面）が上向きの凸形状（本体に向けて凸形状）であり、第２羽根４ａ２の下面（本体と反対側の面）が下向きの凸形状（本体と反対側に向けて凸形状）であるように、第１羽根４ａ１および第２羽根４ａ２がそれぞれ回動して移動する。
【００３１】
また、第２羽根４ａ２は、図４に示されるように、下吹き時は、吹出口３よりも部分的に外に出ると共に、図３に示されるように、水平吹き時には、吹出口３から完全に外へ出る（第２羽根４ａ２の全体が吹出口３から外に出る）。
【００３２】
一方、第２羽根４ａ２は、下吹き時、第１羽根４ａ１と第３羽根４ａ３との間の位置に移動し、且つ、これら第１羽根４ａ１と第３羽根４ａ３とほぼ平行な姿勢に移動する。すなわち、第２羽根４ａ２は、下吹き時、第１羽根４ａ１と並列に並ぶ。また、このとき、第２羽根４ａ２における第１羽根４ａ１と対向する面が、第１羽根４ａ１に向けて出っ張る凸形状であり、第１羽根４ａ１における第２羽根４ａ２と対向する面が、第２羽根４ａ２に向けて出っ張る凸形状であるように、第１羽根４ａ１および第２羽根４ａ２がそれぞれ回動して移動する。
【００３３】
以上のような構成を有する空気調和機においては、次のような効果が得られる。第２羽根４ａ２は、運転停止時、吹出風路３ａ内に収納されており、運転時には、吹出口３から外にせり出す。このため、第２羽根４ａ２は、ボディ外面に要求される意匠的な条件に制約されることなく、風向制御に適した形状を有することができ、風向制御に適した形状の少なくとも一つの風向制御羽根が確実に確保されることとなる。また、本体の外面の意匠の評価としては、運転停止時、外観観察において開閉部として認識できる部分は少ないほど好ましいところ、本実施の形態１では、３枚の羽根を用いておりながら、運転停止時は２枚分の開閉部だけが視認できる意匠を提供することができる。また、運転停止時の開閉部の外縁からは埃等の本体内部への侵入が少なからず懸念されるところ、本実施の形態１では、３枚の羽根を用いておりながら、運転停止時の開閉部を２枚分で抑えることで、好ましくない埃等の本体内部への侵入を抑制することも期待できる。
【００３４】
また、第２羽根４ａ２は、第１羽根４ａ１と直列に並ぶ。よって、第１羽根４ａ１および第２羽根４ａ２は、水平吹き時は、第１羽根４ａ１および第２羽根４ａ２それぞれの弦長よりも長い仮想弦長を有した１枚の仮想羽根となり、下吹き時は、個々の弦長を有した２枚の個別の羽根として機能する。すなわち、羽根自体を交換することなく風向により羽根弦長が変化する態様が得られているといえる。このように個々の羽根の弦長よりも長い仮想弦長を有した仮想羽根が得られるので、水平吹き時、貫流ファンから下向きに放出された空気の流れを、長い仮想弦長を活用して、大きく前方へと転向させることができ、風向制御性を大きく向上させることができる。
【００３５】
また、水平吹き時、直列に配置された第１羽根４ａ１と第２羽根４ａ２との間には、隙間２０が確保される。このように隙間２０が確保された状態で第１羽根４ａ１と第２羽根４ａ２とが直列配置されるので、冷房時の風は、第１羽根４ａ１通過後、第２羽根４ａ２との隙間２０から第２羽根４ａ２の上下面の両方に流れ、第２羽根４ａ２の両面での温度差が小さくなるので、結露が抑制され、品質を向上させることができる。特に、本実施の形態１では、直列に並んだとき、第１羽根４ａ１の上面（本体側の面）が上向きの凸形状（本体に向けて凸形状）であり、第２羽根４ａ２の下面（本体と反対側の面）が下向きの凸形状（本体と反対側に向けて凸形状）であるように、第１羽根４ａ１および第２羽根４ａ２がそれぞれ回動して移動する。このような第１羽根４ａ１および第２羽根４ａ２の面の反りの方向の作用によって、さらに、第１羽根４ａ１と第２羽根４ａ２との間に気流が流れやすくなっており、結露の抑制効果はより高いものとなっている。
【００３６】
また、第２羽根４ａ２は、図４に示されるように、下吹き時は、吹出口３よりも部分的に外に出ると共に、図３に示されるように、水平吹き時には、吹出口３から完全に外へ出る（第２羽根４ａ２の全体が吹出口３から外に出る）。このため、吹出口３から出た第２羽根４ａ２の部分では、本体１の側面１ｅの側方からの流れの抑え込み作用から解放されるので、風向制御が行いやすいという利点が得られる。
【００３７】
また、第２羽根４ａ２は、下吹き時、第１羽根４ａ１と並列に並ぶ。さらに、第２羽根４ａ２における第１羽根４ａ１と対向する面が、第１羽根４ａ１に向けて出っ張る凸形状であり、第１羽根４ａ１における第２羽根４ａ２と対向する面が、第２羽根４ａ２に向けて出っ張る凸形状であるように、第１羽根４ａ１および第２羽根４ａ２がそれぞれ回動して移動する。このため、暖房時、第１羽根４ａ１と第２羽根４ａ２との間を流れる気流は、第１羽根４ａ１の凸形状と第２羽根４ａ２の凸形状とで囲まれた領域を流れるので、徐々に縮流されることで、剥離渦が抑制された後、さらに、徐々に拡大流れとなることで、流れの乱れが抑制される。よって、総括的にみて、気流の直進性が向上し、気流の床面到達距離が延長されて、利用者の足元まで暖房できる効果が増大する。
【００３８】
実施の形態２．
次に、図５〜図８を参照しながら、本発明の実施の形態２について説明する。図５は、本発明の実施の形態２に関する、図１と同態様の図である。図６は、本実施の形態２に関する、図２と同態様の図である。図７は、本実施の形態２に関する、図３と同態様の図である。図８は、本実施の形態２に関する、図４と同態様の図である。なお、本実施の形態２は、以下に説明する部分以外の構成は、上述した実施の形態１と同様であるものとする。
【００３９】
本実施の形態２の空気調和機２００においては、本体１の下面１ｄにのみ、吹出口２０３が設けられている。すなわち、吹出口２０３は、本体１の前面１ａには開口していない。
【００４０】
空気調和機２００には、上下風向ベーン２０４ａが設けられており、上下風向ベーン２０４ａは、上記実施の形態１における第１羽根４ａ１と第２羽根４ａ２とを含んでおり、上記実施の形態１における第３羽根４ａ３に相当する部材は含まれていない。
【００４１】
このような本実施の形態２においても、上述した実施の形態１と同様な利点が得られている。さらに、本実施の形態２では、吹出口が本体の下面にのみ開口し前面には開口していないので、本体内部の機能部品から生じる騒音（例えば貫流ファンの駆動モータ音、貫流ファンの風切音、熱交換器内の冷媒流通音）が前方に向けて直接漏れることが抑制されており、意匠的な条件に制約されない羽根による風向制御性の向上と、騒音抑制との両立が図られている。また、上述したように第２羽根が本体外にせり出し第１羽根と直列的に並ぶので、本体の前面に吹出口を有しない態様でも好適な水平吹きが可能であり、騒音抑制と快適性との両立も図ることができる。
【００４２】
実施の形態３．
次に、図９〜図１３を参照しながら、本発明の実施の形態３について説明する。図９および図１０は、本発明の実施の形態３に関する、図１と同態様の図である。特に、図９は、下吹き運転時（縦吹き時）の状態を示し、図１０は、水平吹き運転時（正面吹き時）の状態を示す。図１１は、本実施の形態３に関する、図２と同態様の図である。図１２は、本実施の形態３に関する、図３と同態様の図である。図１３は、本実施の形態３に関する、図４と同態様の図である。なお、本実施の形態３は、以下に説明する部分以外の構成は、上述した実施の形態１と同様であるものとする。
【００４３】
本実施の形態３の空気調和機３００において、吹出口３０３は、下面１ｄの前部のエリアと、前面１ａの下部のエリアとにまたがって、形成されている。上下風向ベーン３０４ａは、第１羽根４ａ１と、第２羽根４ａ２と、シャッタ４ａ４とを含んでいる。これら第１羽根４ａ１、第２羽根４ａ２およびシャッタ４ａ４は、それぞれ、個別の駆動源を有している。第１羽根４ａ１および第２羽根４ａ２は、上記実施の形態１と同様なものである。
【００４４】
一方、シャッタ４ａ４は、吹出口３０３における、前面１ａの下部のエリアを開閉するものである。シャッタ４ａ４は、本体１の前面１ａの延びる方向に沿って延びている。シャッタ４ａ４は、運転停止時、装置ボディの前面下部の外面を構成しており、本体外郭意匠部として機能する。
【００４５】
また、シャッタ４ａ４は、本体１の前面１ａの延びる方向に沿って移動し、つまり、上下にスライドする。シャッタ４ａ４は、水平吹き運転時は、上方にスライドして、面１ａの下部のエリアの吹出口３０３を開放し、貫流ファン８から吹き出された空気が前方に向けて流れることを許容する。一方、シャッタ４ａ４は、下吹き運転時は、下方にスライドして、面１ａの下部のエリアの吹出口３０３を閉じると共に、貫流ファン８から吹き出された空気が、下方に流れるようにガイドする。
【００４６】
このような本実施の形態３においても、上述した実施の形態１と同様な利点が得られている。さらに、本実施の形態３でも、吹出口が本体の下面にのみ開口し前面には開口していないので、本体内部の機能部品から生じる騒音が前方に向けて直接漏れることが抑制されており、意匠的な条件に制約されない羽根による風向制御性の向上と、騒音抑制との両立が図られている。また、上述したように第２羽根が本体外にせり出し第１羽根と直列的に並ぶので、本体の前面に吹出口を有しない態様でも好適な水平吹きが可能であり、騒音抑制と快適性との両立も図ることができる。
【００４７】
実施の形態４．
次に、図１４〜図１８を参照しながら、本発明の実施の形態４について説明する。図１４は、本発明の実施の形態４における空気調和機の部屋から見たときの設置概要図である。図１５〜図１８は、図１４の空気調和機の内部構造を側方から示す図である。なお、図１５は、空気調和機の運転停止時の状態を示し、図１６は、上吹き運転時（縦吹き時）の状態を示し、図１７は、水平吹き運転時（正面吹き時）の状態を示し、図１８は、下吹き運転時（縦吹き時）の状態を示す。なお、本実施の形態４は、以下に説明する部分以外の構成は、上述した実施の形態１と同様であるものとする。
【００４８】
空気調和機４００は、床置き型であり、空調対象空間である部屋１１の床１１ｂに設置されている。空気調和機４００は、後述する吸込口４０２ｃ、ドレンパン４０９ｂおよび第３羽根４ａ５を除き、フィルタ５、熱交換器７、貫流ファン８、スタビライザー９、ガイドウォール１０、第１羽根４ａ１および第２羽根４ａ２が、上記実施の形態１の空気調和機の構成と、上下逆に設けられている。
【００４９】
図１４に図示されるように、空気調和機（室内機）４００は、本体１によって、空気調和機４００の外郭が構成されている。本体１は、箱状をなしており、部屋１１の壁１１ａに対面する背面１ｃと、背面１ｃの反対側である前面１ａと、上面１ｂと、下面１ｄと、左右一対の側面１ｅとを含んでいる。
【００５０】
前面１ａの下部には、室内空気を空気調和機４００内に吸い込むためのグリル型の吸込口４０２ｃが形成されている。また、前面１ａには、前面グリル６が取り付けられ、前面グリル６の本体高さ方向でいう上寄りの部分には、吸込口２ａが開口している。吸込口２ａは、前面グリル６を、横幅方向に延びている。吸込口２ａの下流側には、導風壁６ａが設けられている。吸込口２ａの下流側の流路の前面側は、前面グリル６の裏面で形成され、吸込口２ａの下流側の流路の背面側は、導風壁６ａで形成されている。導風壁６ａは、吸込口２ａの上方の前面グリル６から背面側に延び且つ上方に延びている。
【００５１】
本体１の上面１ｂには、調整された空気を室内に供給するための吹出口３が形成されている。厳密には、吹出口３は、上面１ｂの前部のエリアと、前面１ａの上部のエリアとにまたがって、形成されている。
【００５２】
本体１の内部には、羽根車８ａを有する貫流ファン（送風部）８と、ガイドウォール１０とが配置されている。貫流ファン８は、吸込側風路Ｅ１及び吹出側風路Ｅ２の間に配置され、吸込口４０２ｃ、２ａから空気を吸い込み吹出口３から空気を吹き出す。ガイドウォール１０は、貫流ファン８の後方から上方にわたって延びており、貫流ファン８から放出された空気を吹出口３に導く。
【００５３】
さらに、本体１の内部には、吸込口４０２ｃ、２ａから吸い込まれる空気中の塵埃などを除去するフィルタ（通風抵抗体）５と、冷媒の温熱又は冷熱を空気に伝達して空調空気を生成する熱交換器（熱交換部、通風抵抗体）７と、吸込側風路Ｅ１及び吹出側風路Ｅ２を区画するスタビライザー９とが配置されている。
【００５４】
ガイドウォール１０は、スタビライザー９の上面側と協働して、吹出側風路Ｅ２を構成するものである。ガイドウォール１０は、貫流ファン８から吹出口３にかけて渦巻き面を形成している。
【００５５】
フィルタ５は、たとえば網目状に形成され、吸込口４０２ｃ、２ａから吸い込まれる空気中の塵埃などを除去するものである。フィルタ５は、吸込口４０２ｃ、２ａから吹出口３までの風路のうち、吸込口４０２ｃ、２ａの下流側であって熱交換器７の上流側に設けられている。また、フィルタ５は、熱交換器７の下方から前方にわたって延びている。
【００５６】
熱交換器７（室内熱交換器）は、冷房運転時において、蒸発器として機能して空気を冷却し、暖房運転時において、凝縮器（放熱器）として機能して空気を加温するものである。この熱交換器７は、吸込口４０２ｃ、２ａから吹出口３までの風路（本体１内部の中央部）のうち、フィルタ５の下流側であって貫流ファン８の上流側に設けられている。なお、図１５では、熱交換器７の形状は、貫流ファン８の前部及び下部を取り囲むような形状をしているが、あくまでも一例であり、特に限定されるものではない。
【００５７】
熱交換器７は、圧縮機、室外熱交換器、及び絞り装置などを有する周知の態様でよい室外機に接続されて冷凍サイクルを構成しているものとする。また、熱交換器７には、例えば伝熱管と多数のフィンとにより構成されるクロスフィン式のフィン・アンド・チューブ型熱交換器が用いられている。
【００５８】
スタビライザー９は、吸込側風路Ｅ１と吹出側風路Ｅ２とを区画するもので、図１５に図示されるように熱交換器７の上側に設けられている。吸込側風路Ｅ１は、スタビライザー９の下方に位置し、吹出側風路Ｅ２は、スタビライザー９の上方に位置している。
【００５９】
スタビライザー９は、吸込側流路Ｅ１と吹出側流路Ｅ２とを分離する舌部９ａと、吹出口３の吹出風路３ａの下壁面（前面側壁面）であるディフューザー３ａ１とを有する。また、熱交換器７の下方には、熱交換器７から滴下される水滴を一時貯水するドレンパン４０９ｂが設けられている。
【００６０】
吹出風路３ａには、上下風向ベーン４ａが設けられている。上下風向ベーン４ａは、第１羽根４ａ１と、第２羽根４ａ２と、第３羽根４ａ５とを含んでいる。これら第１羽根４ａ１、第２羽根４ａ２および第３羽根４ａ５は、それぞれ、個別の駆動源を有しており、個別に回動される。
【００６１】
第１羽根４ａ１は、運転停止時、吹出口３のうち上面１ｂの前部のエリアを閉じており、装置ボディの外面を構成している。つまり、第１羽根４ａ１は、風向制御部と本体外郭意匠部として兼用されている。第１羽根４ａ１の、運転停止時における下面（風路側面）は、凸形状に形成されている。また、第１羽根４ａ１は、回動可能に設けられており、第１羽根４ａ１の回動軸は、吹出風路３ａ内の上部のガイドウォール寄りに位置している。
【００６２】
第３羽根４ａ５は、運転停止時、吹出口３のうち前面１ａの上部のエリアを閉じており、装置ボディの外面を構成している。つまり、第３羽根４ａ５もまた、風向制御部と本体外郭意匠部として兼用されている。
【００６３】
第２羽根４ａ２は、運転停止時、吹出風路３ａ内に収納されており、第１羽根４ａ１と貫流ファン８との間、且つ、第３羽根４ａ５と貫流ファン８との間に配置されている。より詳細には、運転停止時、第２羽根４ａ２の全体が、本体１内に収納されている。一方、第２羽根４ａ２は、運転時には、吹出口３から外にせり出す。すなわち、第２羽根４ａ２は、風向制御部として機能し、本体外郭意匠部としては機能しない。
【００６４】
また、後に詳しく説明するが、端的には、第２羽根４ａ２は、水平吹き時（正面吹き時）は、図１７に示されるように、第１羽根４ａ１と直接に並び、上吹き時（縦吹き時）は、図１６に示されるように、第１羽根４ａ１と並列に並ぶ。さらに、図１８に示されるように、下吹き時（縦吹き時）には、第１羽根４ａ１と第２羽根４ａ２とが前後に並ぶ。
【００６５】
第３羽根４ａ５は、上吹き時には、運転停止時と同じ位置および姿勢にある。第３羽根４ａ５は、水平吹き時には、上吹き時と同じ姿勢であり且つ上吹き時より上昇することでスタビライザー９と協働して空気を第２羽根４ａ２の下面に向けてガイドする。第３羽根４ａ５は、下吹き時には、吹出口３の前面１ａの上部のエリアを開放する。このとき、第３羽根４ａ５は、第３羽根４ａ５の前部が第３羽根４ａ５の後部よりも下方に位置するように、傾いている。これにより、第３羽根４ａ５は、出口３の前面１ａの上部のエリアを通過する空気を、下方に向けてガイドする。
【００６６】
また、第２羽根４ａ２の回動軸は、吹出口３内の下部のスタビライザー寄りに位置している。そして、第２羽根４ａ２は、水平吹き時、吹き出し流れの進行方向でいう第１羽根４ａ１の前に移動し、第１羽根４ａ１と直列に並ぶ。なお、この第１羽根４ａ１と第２羽根４ａ２との直列配置は、図１７のような側面視において、第１羽根４ａ１の上流端Ａと第２羽根４ａ２の下流端Ｂとを結ぶ仮想線Ｖよりも、第２羽根４ａ２の上流端Ｃが、上方に位置するような状態（仮想線Ｖに対して本体１から離れる側に位置する状態）であることを要する。これにより、第１羽根４ａ１および第２羽根４ａ２は、水平吹き時は、第１羽根４ａ１および第２羽根４ａ２それぞれの弦長よりも長い仮想弦長を有した１枚の仮想羽根となり、下吹き時は、個々の弦長を有した２枚の個別の羽根として機能する。すなわち、羽根自体を交換することなく風向により羽根弦長が変化する態様が得られているといえる。
【００６７】
また、水平吹き時、直列に配置された第１羽根４ａ１と第２羽根４ａ２との間には、隙間２０が確保される。特に、本実施の形態１では、直列に並んだとき、第１羽根４ａ１の下面（本体側の面）が下向きの凸形状（本体に向けて凸形状）であり、第２羽根４ａ２の上面（本体と反対側の面）が上向きの凸形状（本体と反対側に向けて凸形状）であるように、第１羽根４ａ１および第２羽根４ａ２がそれぞれ回動して移動する。
【００６８】
また、第２羽根４ａ２は、図１６に示されるように、上吹き時は、吹出口３よりも部分的に外に出ると共に、図１７に示されるように、水平吹き時には、吹出口３から完全に外へ出る（第２羽根４ａ２の全体が吹出口３から外に出る）。
【００６９】
一方、第２羽根４ａ２は、上吹き時、第１羽根４ａ１と第３羽根４ａ５との間の位置に移動し、且つ、これら第１羽根４ａ１と第３羽根４ａ５とほぼ平行な姿勢に移動する。すなわち、第２羽根４ａ２は、上吹き時、第１羽根４ａ１と並列に並ぶ。また、このとき、第２羽根４ａ２における第１羽根４ａ１と対向する面が、第１羽根４ａ１に向けて出っ張る凸形状であり、第１羽根４ａ１における第２羽根４ａ２と対向する面が、第２羽根４ａ２に向けて出っ張る凸形状であるように、第１羽根４ａ１および第２羽根４ａ２がそれぞれ回動して移動する。
【００７０】
以上のような構成を有する空気調和機においても、実施の形態１と同様、次のような効果が得られる。第２羽根４ａ２は、運転停止時、吹出風路３ａ内に収納されており、運転時には、吹出口３から外にせり出す。このため、第２羽根４ａ２は、ボディ外面に要求される意匠的な条件に制約されることなく、風向制御に適した形状を有することができ、風向制御に適した形状の少なくとも一つの風向制御羽根が確実に確保されることとなる。また、本体の外面の意匠の評価としては、運転停止時、外観観察において開閉部として認識できる部分は少ないほど好ましいところ、本実施の形態１では、３枚の羽根を用いておりながら、運転停止時は２枚分の開閉部だけが視認できる意匠を提供することができる。また、運転停止時の開閉部の外縁からは埃等の本体内部への侵入が少なからず懸念されるところ、本実施の形態１では、３枚の羽根を用いておりながら、運転停止時の開閉部を２枚分で抑えることで、好ましくない埃等の本体内部への侵入を抑制することも期待できる。
【００７１】
また、第２羽根４ａ２は、第１羽根４ａ１と直列に並ぶ。よって、第１羽根４ａ１および第２羽根４ａ２は、水平吹き時は、第１羽根４ａ１および第２羽根４ａ２それぞれの弦長よりも長い仮想弦長を有した１枚の仮想羽根となり、上吹き時は、個々の弦長を有した２枚の個別の羽根として機能する。すなわち、羽根自体を交換することなく風向により羽根弦長が変化する態様が得られているといえる。このように個々の羽根の弦長よりも長い仮想弦長を有した仮想羽根が得られるので、水平吹き時、貫流ファンから上向きに放出された空気の流れを、長い仮想弦長を活用して、大きく前方へと転向させることができ、風向制御性を大きく向上させることができる。
【００７２】
また、水平吹き時、直列に配置された第１羽根４ａ１と第２羽根４ａ２との間には、隙間２０が確保される。このように隙間２０が確保された状態で第１羽根４ａ１と第２羽根４ａ２とが直列配置されるので、冷房時の風は、第１羽根４ａ１通過後、第２羽根４ａ２との隙間２０から第２羽根４ａ２の上下面の両方に流れ、第２羽根４ａ２の両面での温度差が小さくなるので、結露が抑制され、品質を向上させることができる。特に、本実施の形態１では、直列に並んだとき、第１羽根４ａ１の下面（本体側の面）が下向きの凸形状（本体に向けて凸形状）であり、第２羽根４ａ２の上面（本体と反対側の面）が上向きの凸形状（本体と反対側に向けて凸形状）であるように、第１羽根４ａ１および第２羽根４ａ２がそれぞれ回動して移動する。このような第１羽根４ａ１および第２羽根４ａ２の面の反りの方向の作用によって、さらに、第１羽根４ａ１と第２羽根４ａ２との間に気流が流れやすくなっており、結露の抑制効果はより高いものとなっている。
【００７３】
また、第２羽根４ａ２は、図１６に示されるように、上吹き時は、吹出口３よりも部分的に外に出ると共に、図１７に示されるように、水平吹き時には、吹出口３から完全に外へ出る（第２羽根４ａ２の全体が吹出口３から外に出る）。このため、吹出口３から出た第２羽根４ａ２の部分では、本体１の側面１ｅの側方からの流れの抑え込み作用から解放されるので、風向制御が行いやすいという利点が得られる。
【００７４】
また、第２羽根４ａ２は、上吹き時、第１羽根４ａ１と並列に並ぶ。さらに、第２羽根４ａ２における第１羽根４ａ１と対向する面が、第１羽根４ａ１に向けて出っ張る凸形状であり、第１羽根４ａ１における第２羽根４ａ２と対向する面が、第２羽根４ａ２に向けて出っ張る凸形状であるように、第１羽根４ａ１および第２羽根４ａ２がそれぞれ回動して移動する。このため、第１羽根４ａ１と第２羽根４ａ２との間を流れる気流は、第１羽根４ａ１の凸形状と第２羽根４ａ２の凸形状とで囲まれた領域を流れるので、徐々に縮流されることで、剥離渦が抑制された後、さらに、徐々に拡大流れとなることで、流れの乱れが抑制される。よって、総括的にみて、気流の直進性が向上し、気流の到達距離が延長されて、室内全体に空気調和の効果が行き渡りやすいという利点がある。
【００７５】
さらに、本実施の形態４では、上吹き時および水平吹き時には、吹出口が本体の上面にのみ開口し前面には開口していないので、本体内部の機能部品から生じる騒音（例えば貫流ファンの駆動モータ音、貫流ファンの風切音、熱交換器内の冷媒流通音）が前方に向けて直接漏れることが抑制されており、意匠的な条件に制約されない羽根による風向制御性の向上と、騒音抑制との両立が図られている。また、上述したように第２羽根が本体外にせり出し第１羽根と直列的に並ぶので、吹出口を本体の上面だけ開口させた状態でも、
好適な水平吹きが可能であり、騒音抑制と快適性との両立も図ることができる。また、本実施の形態４の床置きタイプによれば、上吹き、水平吹き、下吹きが可能であり、吹出範囲が広い空気調和機能を提供することができる。
【００７６】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００７７】
１  本体、２ａ、２ｂ、４０２ｃ  吸込口、３、２０３  吹出口、４ａ１  第１羽根、４ａ２  第２羽根、７  熱交換器（熱交換部）、８  貫流ファン（送風部）、２０  隙間、１００、２００、３００、４００  空気調和機。
【図１】
2015145726.tif 000003
【図２】
2015145726.tif 000004
【図３】
2015145726.tif 000005
【図４】
2015145726.tif 000006
【図５】
2015145726.tif 000007
【図６】
2015145726.tif 000008
【図７】
2015145726.tif 000009
【図８】
2015145726.tif 000010
【図９】
2015145726.tif 000011
【図１０】
2015145726.tif 000012
【図１１】
2015145726.tif 000013
【図１２】
2015145726.tif 000014
【図１３】
2015145726.tif 000015
【図１４】
2015145726.tif 000016
【図１５】
2015145726.tif 000017
【図１６】
2015145726.tif 000018
【図１７】
2015145726.tif 000019
【図１８】
2015145726.tif 000020
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
吸込口および吹出口を有する本体と、
前記本体内に設けられた送風部と、
前記本体内に設けられた熱交換部とを備えた空気調和機であって、
第１羽根および第２羽根がそれぞれ可動に支持されており、
前記第１羽根は、運転時、前記吹出口を開き、運転停止時、前記吹出口を閉じており、
前記第２羽根は、運転停止時、前記本体内に収納されており、運転時には、前記吹出口の外方へ移動し、
正面吹き時には、前記第２羽根の全体が、前記吹出口から外に出る、
空気調和機。
【請求項２】
正面吹き時、前記第１羽根と前記第２羽根とは直列に並び、
正面吹き時、側面視において、前記第２羽根の上流端が、前記第１羽根の上流端と前記第２羽根の下流端とを結ぶ仮想線よりも、本体から離れる側に位置する、
請求項１の空気調和機。
【請求項３】
正面吹き時、前記第１羽根と前記第２羽根との間には、隙間が確保される、
請求項２の空気調和機。
【請求項４】
前記第１羽根における本体側の面が、本体に向けて凸形状であり、前記第２羽根における本体と反対側の面が、本体と反対側に向けて凸形状である、
請求項２または３の空気調和機。
【請求項５】
縦吹き時、前記第１羽根と前記第２羽根とは並列に並び、
縦吹き時、前記第２羽根における前記第１羽根と対向する面が、前記第１羽根に向けて出っ張る凸形状であり、前記第１羽根における前記第２羽根と対向する面が、前記第２羽根に向けて出っ張る凸形状である、
請求項１〜４の何れか一項の空気調和機。
【国際調査報告】
2015145726.tif 000021
2015145726.tif 000022